(57)【要約】【課題】従来の腰部用ベルトサポーターのように複雑な構造でなく、単純で均質な素材で構成され、腰部を保護すると共に、運動動作のパフォーマンスを向上させることのできるベルトサポーターを提供すること。【解決手段】弾性糸と非弾性糸とから編成される編地を複数枚縫製し積層したベルト本体から成るベルトサポーターであって、ベルト本体の締付方向の引張物性は、伸長率５％の引張荷重がベルト幅１０ｍｍ当たり３〜７Ｎであり、且つ伸長率１０％の引張荷重がベルト幅１０ｍｍ当たり５〜１２Ｎであることを特徴とするウェスト部に着用するベルトサポーター。【選択図】図１
2014212864.tif 000002
【特許請求の範囲】
【請求項１】
弾性糸と非弾性糸とから編成される編地を複数枚縫製し積層したベルト本体から成るベルトサポーターであって、ベルト本体の締付方向の引張物性は、伸長率５％の引張荷重がベルト幅１０ｍｍ当たり３〜７Ｎであり、且つ伸長率１０％の引張荷重がベルト幅１０ｍｍ当たり５〜１２Ｎであることを特徴とするウェスト部に着用するベルトサポーター。
【請求項２】
弾性糸と非弾性糸とから編成される経編地を複数枚縫製し積層し、経編地の経方向をベルトの締付方向としたベルト本体から成るベルトサポーターであって、ベルト本体の締付方向の引張物性は、５％伸長時の引張荷重がベルト幅１０ｍｍ当たり３〜７Ｎであり、且つ伸長率１０％の引張荷重がベルト幅１０ｍｍ当たり５〜１２Ｎであることを特徴とするウェスト部に着用するベルトサポーター。
【請求項３】
弾性糸が１５〜３５％の交編率で非弾性糸と編成されていることを特徴とする請求項１又は２に記載のベルトサポーター。
【請求項４】
野球パンツ用ベルトであることを特徴とする請求項１〜３のいずれか一項に記載のベルトサポーター。
【発明の詳細な説明】
【技術分野】
【０００１】
本発明は運動時にウェストに着用し、腹部から腰部周辺の筋肉バランスを整え運動動作のパフォーマンスを向上させると共に腰部の保護の機能を有するベルトサポーターに関する。
【背景技術】
【０００２】
腰部の保護や腰部骨格の安定のために用いられるベルトサポーターは種々のものが提案され、腰痛の予防や痛みの緩和に用いられている（例えば特許文献１〜4を参照）。これらの腰部に巻きつけて用いるベルトサポーターは、腰部を覆う幅広のベルト本体に背面部の特定場所に当接する突起物や部材が設けられた構造となっている。そして、ベルト本体にさらに伸縮性の強い素材から成る補助ベルトを設け、サポーターの緊締力を上げることも行われている（特許文献４を参照）。
【０００３】
これらのベルトサポーターは、上記のように機能を発揮するために構造が複雑になっており、製造コストが高くなる。そして、腰痛の予防や痛みの緩和などの腰部の保護には優れていても、着用した場合に必ずしも運動動作のパフォーマンスを向上させるものではなかった。一方、各種パンツのベルトとして、ベルト素材に弾性帯を用いた伸縮性ベルトも市販されているが、このベルトに用いられている弾性帯はいわゆるゴム紐を編み上げたり、ゴム糸を織り込んだりして作成されたものであり、パンツ用ベルトしては十分ではあるが、運動用のベルトサポーターとしては必要な締結力がなく、サポーターとしての機能が不十分であった。
【０００４】
そして、運動時における骨格筋に直接働きかけて、運動出力を高める運動用具として、シート状の材料にて、大腿部及び下腿部の少なくともいずれか一方に圧迫圧力を加えることができる用具も提案されている（引用文献５）。この用具は、下肢に装着して用いるものであり、下肢の運動出力を高めるための用具である。
【０００５】
一方、身体の要である腰部を保護すると共に、腹部から腰部周辺の筋肉バランスを整え身体全体の運動動作のパフォーマンスを向上させるための運動用具も望まれているが、上記したような在来の用具では、要望を満たしきれていなかった。
【先行技術文献】
【特許文献】
【０００６】
【特許文献１】特開平７−８８２１８号公報
【特許文献２】特開平８−８９６１７号公報
【特許文献３】特開２００２−３４５８６６号公報
【特許文献４】特開２００４−２７７９３６号公報
【特許文献５】特開２０１２−７７４３０号公報
【発明の概要】
【発明が解決しようとする課題】
【０００７】
本発明の課題は、従来の腰部用ベルトサポーターのように複雑な構造でなく、単純で均質な素材で構成され、腰部を保護すると共に、運動動作のパフォーマンスを向上させることのできるベルトサポーターを提供することである。
【課題を解決するための手段】
【０００８】
本発明のウェスト部に着用するベルトサポーターは、弾性糸と非弾性糸とから編成される編地を複数枚縫製し積層したベルト本体から成るベルトサポーターであって、ベルト本体の締付方向の引張物性は、伸長率５％の引張荷重がベルト幅１０ｍｍ当たり３〜７Ｎであり、且つ伸長率１０％の引張荷重がベルト幅１０ｍｍ当たり５〜１２Ｎであることを特徴とする。
【０００９】
また、上記編地として、弾性糸と非弾性糸とから編成される経編地を用いて、経編地の経方向をベルトの締付方向としたベルト本体から成るベルトサポーターが好ましく、この態様のベルトサポーターにおいて、ベルト本体の締付方向の引張物性は、上記と同様に、伸長率５％の引張荷重がベルト幅１０ｍｍ当たり３〜７Ｎであり、且つ伸長率１０％の引張荷重がベルト幅１０ｍｍ当たり５〜１２Ｎであることを特徴とする。
【００１０】
そして、上記のベルトサポーターに用いる編地は、弾性糸が１５〜３５％の交編率で非弾性糸と編成されていることが好ましく、より好ましくは２０〜３０％の交編率である。そして、上記のベルトサポーターを野球用パンツのベルトとして用いることが好ましい。
【００１１】
尚、本発明においてベルト本体の締付方向の引張物性とは、ＪＩＳ Ｌ １０９６「織物及び編物の生地の試験方法」を準用し引張試験機を使用して、試験速度１００ｍｍ／分、掴み間隔２００ｍｍにて、ベルト幅４０ｍｍのベルト本体をベルトの締付方向に引張し、伸び率５％（伸び１０ｍｍ）と伸び率１０％（伸び２０ｍｍ）での引張荷重をベルト幅１０ｍｍ当たりに換算した数値である。また、この定速伸長法で伸長率２０％にて測定した、ベルト本体の伸長回復率が９５％以上好ましくは９８％以上、残留ひずみ率が０．５％以下の値を示すことが好ましい。
【発明の効果】
【００１２】
本発明のベルトサポーターは、弾性糸と非弾性糸とから編成される伸縮性のある編地を複数枚積層した構造であり、さらに上記した引張物性を持っており、ウェストに着用し締め付けることにより、上記のような伸び率に応じた適切な引張荷重により、腹圧をアップすることができ、腹横筋と骨盤に圧力を与えて、深腹筋、大腰筋、腸腰筋などの腰部周辺のインナーマッスル強化と骨盤バランス補正効果を生み出し、運動動作のパフォーマンスを向上させ、パワーアップと俊敏な動作を実現する。そして、編地として経編地を用いた場合には、ベルトサポーターとしてより優れた効果が発揮できる。一方、前記の引張荷重が下限以下では腹圧アップの効果が少なく、また、上限以上では、運動動作が制限を受け、パフォーマンスの向上が期待できない。
【００１３】
また、中腰姿勢や座位姿勢などの動作の多く、腰の負担が大きい野球において、ベルトサポーターとして用いることは上記の効果をより一層発揮できるため、野球用パンツのベルトとして有効に使用することができる。
【００１４】
そして、従来の運動用サポーターは肌に直接着用するものが一般的であるが、本発明においてはベルトサポーターとして、外装衣の一部の使用するものであり、ベルト本体は編地を多層積層した素材から構成したために、通常のベルトと同じようなデザインとすることができる。そのため、従来の腰部用ベルトサポーターのような独特の形状ではなく、ファッション的にも優れたスポーツウェアの一部として着用することもでき、スポーツを行う時だけでなく、外出時にも使用することができる。
【図面の簡単な説明】
【００１５】
【図１】本発明のベルトサポーターの説明図である。
【図２】ベルトサポーター本体を構成する経編地実施例の編組織図である。
【発明を実施するための形態】
【００１６】
本発明の実施の形態につき、以下にさらに詳しく説明するがこれはあくまで実施例であって、本発明の構成の趣旨の範囲内で種々の形状を含むことができる。
【００１７】
図１は本発明のベルトサポーターの実施例を示す説明図であり、通常のパンツ用ベルトと同様の形状をしたベルトサポーター１は、ベルト本体２の一端にはバックル３が取り付けられており、他方の端部にはベルト穴４が設けられた端末部５が縫製部６にてベルト本体２に縫製固着されている。ベルト本体２は弾性糸と非弾性糸とから編成される編地を複数枚縫製した伸縮性のある弾性編地から構成されており、端末部５は非伸縮性の皮革、織布などで構成され、ベルト穴４が穿孔されている。
【００１８】
ベルト本体２を構成する弾性編地としては、弾性糸と非弾性糸とから編成される経編地を用いることが好ましく、経方向をベルトサポーター１の締付方向となる長さ方向として用いる。縫製複合する経編地の枚数は特に限定されず、前記した締付方向（長さ方向）の引張物性を満たせばよく、好ましくは４〜１２枚の編地を縫製複合して積層した編地が用いられる。このような枚数を用いることにより、編地の伸びに対する抵抗を大きくし、好ましい引張物性を得ることができる。ベルト本体２の幅としては通常のベルト幅と同じく１５〜６０ｍｍの範囲とすることができるが、締付効果より３０〜５０ｍｍの範囲が好ましく、野球用の場合には４０ｍｍ程度の幅が用いられる。
【００１９】
編地を編成するための弾性糸としては、合成繊維弾性糸が用いられ、特にポリウレタン弾性糸が好ましく、モノフィラメント、マルチフィラメントのいずれの形態であってもよい。また、非弾性糸としては、実質的に伸縮性を有しない繊維であって、通常の合成繊維、再生繊維、天然繊維を用いることができ、例えばポリアミド、ポリエステル、ポリプロピレン、レーヨン、キュプラ、アセテート、絹などのモノフィラメントやマルチフィラメントを用いることができる。
【００２０】
上記の弾性糸と非弾性糸とを交編して弾性編地とし、それを積層してベルト本体２とするが、前記のように編地としては経編地が好ましく、弾性糸と非弾性糸との交編率は弾性糸１５〜３５％、非弾性糸６５〜８５％の範囲が好ましい。そして、得られた弾性編地を複数枚縫製複合して積層体とし、ベルトの締付方向（長さ方向）の引張物性値を、前記したように、伸長率５％の引張荷重がベルト幅１０ｍｍ当たり３〜７Ｎであり、伸長率１０％の引張荷重がベルト幅１０ｍｍ当たり５〜１２Ｎであるように調整して、ベルト本体２を作成する。縫製複合して積層体とする場合、ベルト本体の幅と同じ幅に編成した編地を用いてもよいし、幅広に編成した編地をベルト幅に裁断したり、折り重ねたりして、縫製複合してもよい。そして、前記の引張物性値は、この縫製複合した積層体の示す値とすることが必要である。
【００２１】
図1に示したベルトサポーター１は、ベルト穴４が設けられている端末部５をベルト本体２に縫製固着しているが、このような端末部５を設けることなく、ベルト穴４をベルト本体にもうけることもできる。このように、ベルト本体２に直接ベルト穴を設ける場合には、ベルト本体２は編地からなっているため、使用中のベルト穴の破損を防ぐために、単に穿孔するだけでなく、ハトメをつけておくことが好ましい。また、バックルは特に限定されず種々のタイプが使用することができ、さらにはバックルを使用することなく、両末端に面ファスナーを設けて、面ファスナーの接合によりベルトを着用するようにしてもよい。
【００２２】
本発明のベルトサポーターをウェスト部に着用することにより、前記したように、腰部を保護するだけでなく、腹圧をアップして、腹横筋と骨盤に圧力を与えてインナーマッスル強化と骨盤バランス補正効果を生み出し、運動動作のパフォーマンスを向上させ、パワーアップと俊敏な動作を実現することができる。
【００２３】
（実施例）
ベルト本体を構成する編地を、２４ゲージ、筬枚数４の経編機を用いて、次の使用糸及び編組織により製造した。
使用糸
筬No.   糸      種       見掛繊度（デシテックス） 交編率（％）
１        ナイロン糸                  235                      37.4
２        ナイロン糸                  235                      37.4
３        ポリウレタン弾性糸          708.6                    12.6
４        ポリウレタン弾性糸          708.6                    12.6
ナイロン糸        ：東洋紡株式会社製  マルチフィラメント糸、糸数３４
ポリウレタン弾性糸：東レ・オペロンテックス株式会社製  「ライクラ（登録商標）」タイプＴ−１２７
編組織
筬No.   糸  配  列           パターンホイール                          
１      １イン１アウト    1-0  1-2  1-0  1-2  1-0  2-3  2-1  2-3  2-1  2-3
２      １イン１アウト    2-3  2-1  2-3  2-1  2-3  1-0  1-2  1-0  1-2  1-0
３      １イン１アウト                        0-0  1-1
４      １イン１アウト                        1-1  0-0
各筬に通された使用糸の編組織図を図２に示す。非弾性糸であるナイロン糸を実線１１、１２で示し、弾性糸であるポリウレタン糸を鎖線１３、１４で示す。実線１１は筬１、実線１２は筬２に通したナイロン紙を示し、鎖線１３は筬３、鎖線１４は筬４を通したポリウレタン弾性糸を示す。
【００２４】
以上の編組織により製造した経編地を用いて、図１に示す野球用ベルトサポーター１のベルト本体２を構成した。このベルト本体は、経編地の経方向をベルトの締付方向（長さ方向）として、幅４０ｍｍになるように６枚を折り重ねて縫製積層して、ベルト本体２とした。この縫製積層したベルト本体２の締付方向（長さ方向）の引張物性値を前記した方法にて測定した結果は、伸長率５％の引張荷重は２０．６Ｎ（ベルト幅１０ｍｍ当たり５．２Ｎ）であり、伸長率１０％の引張荷重は３３．３Ｎ（ベルト幅１０ｍｍ当たり８．３Ｎ）であった。また、伸長回復率は１００％であり、残留ひずみ率は０．０％であった。
【００２５】
図１に示すように、このベルト本体２の一端にバックル３と他端にはベルト穴４が設けられた端末部５を取り付けて、野球用ベルトサポーターとした。このベルトサポーターを実際に着用して、野球バットのスイングを行い、筋肉の働きとスイング速度を計測し、着用前と着用後との差を調べた。筋肉の働きについては、酒井医療株式会社製筋電計「テレマイオＧ２」（商標）により筋電図を計測し、着用前より着用後の方が筋肉の働きが大きくなっていることを確認した。また、スイング速度は、着用前では１２９ｋｍ／時であったのが着用後では１３６ｋｍ／時となったことを確認した。これはベルトサポーターを装着することで腹横筋の力が最大限に発揮できた結果と考えられる。
【００２６】
参考例として、各種パンツのベルトとして市販され、ベルトサポーターとしての機能が不十分であった、ベルト素材にゴム紐を編み上げた弾性帯を用いた伸縮性ベルト（ベルト幅３８ｍｍ）の締付方向でも引張物性を測定した。その結果、伸長率５％の引張荷重は２．９４Ｎ（ベルト幅１０ｍｍ当たり０．７７Ｎ）であり、伸長率１０％の引張荷重は４．４Ｎ（ベルト幅１０ｍｍ当たり１．１６Ｎ）であった。また、伸長回復率は８５．８％であり、残留ひずみ率は２．８％であった。このように、この伸縮性ベルトはベルトサポーターとしては必要な締結力がなく、機能を発揮できないものであった。
【産業上の利用可能性】
【００２７】
本発明のベルトサポーターは、腰部の保護と運動動作のパフォーマンス向上を目的として、野球をはじめとする各種の運動用パンツのベルトとしてウェスト部の着用したり、単独に他の運動衣とは別個に着用したりして使用することができる。また、腰への負担の大きい登山やトレッキングに際しても、好ましく使用することができる。
【符号の説明】
【００２８】
１    ベルトサポーター
２    ベルト本体
３    バックル
４    ベルト穴
５    端末部
６    縫製部
１１、１２  非弾性糸（ナイロン糸）
１３、１４  弾性糸（ポリウレタン弾性糸）
【図１】
2014212864.tif 000003
【図２】
2014212864.tif 000004